(57)【要約】【課題】全体が均一に発光して目を刺激しない発光ラジエータカバーを提供する。【解決手段】本考案の発光ラジエータカバー２は、中空フレーム３と、中空フレーム３内に間隔をあけて装着される複数のランプカバーユニット４と、各ランプカバーユニット４に装着される複数のＯＬＥＤ発光板５と、を含む。各ランプカバーユニット４は、後方に開口を有し、透光のランプカバー本体４１と、ランプカバー本体４１の開口に蓋をするようにランプカバー本体４１に装着される背面板４２と、を含む。ランプカバー本体４１が背面板４２に組み合わされることによって光行空間４０が画定される。各ＯＬＥＤ発光板５は、各光行空間４０中に装着され、各光行空間４０内に位置し、前方の各光行空間４０の方向に発光する。【選択図】図３
0003200889.tif 000002
【実用新案登録請求の範囲】
【請求項１】
中空フレーム、複数のランプカバーユニット及び複数のＯＬＥＤ発光板を備える発光ラジエータカバーであって、
前記複数のランプカバーユニットは、互いに間隔をあけて配列して前記中空フレーム内に装着される上、前記中空フレームに組み合わされることにより、前後に貫通し、間隔があいた複数の通風孔が画定され、前記各ランプカバーユニットは、後方に開口を有する上、透光で中空のランプカバー本体と、前記ランプカバー本体の開口に蓋をするように前記ランプカバー本体に装着される背面板と、を有し、前記ランプカバー本体が前記背面板に組み合わされることにより、光行空間が画定され、
前記各ＯＬＥＤ発光板は、前記各ランプカバーユニットの前記背面板に装着固定され、前記各光行空間中に位置し、前記各光行空間方向に発光することを特徴とする発光ラジエータカバー。
【請求項２】
前記複数のランプカバーユニットは、上下縦方向に延伸する形状であり、左右に間隔をあけて配列して前記中空フレームに装着されることを特徴とする請求項１に記載の発光ラジエータカバー。
【請求項３】
前記複数のランプカバーユニットは、左右横方向に延伸する形状であり、上下に間隔をあけて配列して前記中空フレームに装着されることを特徴とする請求項２に記載の発光ラジエータカバー。
【請求項４】
前記各ＯＬＥＤ発光板は、前記各ランプカバーユニットの長手方向に沿って延伸することを特徴とする請求項２又は３に記載の発光ラジエータカバー。
【考案の詳細な説明】
【技術分野】
【０００１】
本考案は、ラジエータカバーに関し、特に、発光するラジエータカバーに関する。
【背景技術】
【０００２】
一般に、自動車の前部には、ラジエータカバーが設置される。ラジエータカバーは、中空のフレームと、フレーム内に装着される複数のリブと、を含む。隣り合う各リブ間に形成される隙間から空気がエンジンルームに進入し、放熱の補助が行われる。
【０００３】
従来のラジエータカバーは、柵状又は網目状の構造であり、他の構造を有さないために製品価値を高めることができなかった。そこで、ラジエータカバーのフレームに光ファイバを嵌設したり、フレーム中にＬＥＤを装着したりする構造が案出された。しかし、上述の光ファイバ又はＬＥＤなどの発光装置中、光ファイバは、装着された部分のみが集中して発光し、周囲部分から光を放出することができないため、発光効率に劣る。また、ＬＥＤは、光線が前方に直線に放出されるため、光点が集中して目を刺激し、対向車に影響を与えやすい。また、光点が集中するため、ラジエータカバーのＬＥＤが設置された部位が明るすぎ、他の部位が相対的に暗いため、ラジエータカバー全体の発光輝度が非常に不均一となる。このため、従来の発光ラジエータカバーは、改善が求められていた。
【考案の概要】
【考案が解決しようとする課題】
【０００４】
本考案の目的は、全体が均一に発光して目を刺激しない発光ラジエータカバーを提供することにある。
【課題を解決するための手段】
【０００５】
上述の課題を解決するために、本考案の発光ラジエータカバーは、中空フレームと、互いに間隔をあけて配列して中空フレーム内に装着される複数のランプカバーユニットと、各ランプカバーユニットに装着される複数のＯＬＥＤ発光板と、を含む。複数のランプカバーユニットが中空フレームに組み合わされることにより、前後に貫通し、間隔があいた複数の通風孔が画定される。各ランプカバーユニットは、後方に開口を有する上、透光で中空のランプカバー本体と、ランプカバー本体の開口に蓋をするようにランプカバー本体に装着される背面板と、を含む。ランプカバー本体が背面板に組み合わされることにより、光行空間が画定される。各ＯＬＥＤ発光板は、各ランプカバーユニットの背面板に装着固定され、各光行空間中に位置し、光行空間方向に発光する。
【考案の効果】
【０００６】
各ランプカバーユニット中に各ＯＬＥＤ発光板が装着される設計により、ランプカバーユニットの光行空間を利用して各ＯＬＥＤ発光板から発生する光線を均等に分散した後、各ランプカバー本体から放出することにより、発光ラジエータカバー全体を均一に発光させることができ、光線が集中して目を刺激する問題が発生しない。
【図面の簡単な説明】
【０００７】
【図１】本考案の発光ラジエータカバーの第１実施形態を車両上に装着した状態を示す模式図である。
【図２】本考案の発光ラジエータカバーの第１実施形態を示す斜視図である。
【図３】本考案の発光ラジエータカバーの第１実施形態を示す断面図である。
【図４】本考案の発光ラジエータカバーの第２実施形態を示す斜視図である。
【図５】本考案の発光ラジエータカバーの第２実施形態を示す断面図である。
【考案を実施するための形態】
【０００８】
本考案の詳細な説明を以下に示すが、以下に示す説明中、類似する部材は、同一の符号を用いる。
【０００９】
（第１実施形態）
図１〜図３に示すように、本考案の発光ラジエータカバー２の第１実施形態は、車両９００のラジエータ（図示せず）の前方に装着するのに適用される。発光ラジエータカバー２は、中空フレーム３と、中空フレーム３に装着される複数のランプカバーユニット４と、各ランプカバーユニット４に装着される複数のＯＬＥＤ発光板５と、を含む。
【００１０】
中空フレーム３は、前後に貫通する中空のリング状を呈する。複数のランプカバーユニット４は、上下縦方向に延伸する形状を呈し、左右に間隔をあけて配列して中空フレーム３内に装着固定される。また、複数のランプカバーユニット４が中空フレーム３に組み合わされることによって左右に間隔があいて気流が通過する複数の通風孔３０が画定される。
【００１１】
各ランプカバーユニット４は、上下縦方向に延伸し、後方に開口を有し、中空のランプカバー本体４１と、ランプカバー本体４１の開口に蓋をするようにランプカバー本体４１の後側に装着固定される背面板４２と、を含む。背面板４２がランプカバー本体４１に組み合わされることによって光行空間４０が画定される。ランプカバー本体４１は、例えば、透光プラスチックなどの透光材料からなり、内部の光線を外部に放出することができる。
【００１２】
各ＯＬＥＤ発光板５は、各ランプカバーユニット４の背面板４２に装着固定され、各光行空間４０内に位置し、ランプカバー本体４１の長手方向に沿って上下に延伸する。本実施形態中、各ＯＬＥＤ発光板５は、上下に延伸する長板状を呈する。各ＯＬＥＤ発光板５は、前方の各光行空間４０全面の方向に発光する。
【００１３】
本考案の発光ラジエータカバーの使用中、複数のランプカバーユニット４中に装着された複数のＯＬＥＤ発光板５が発光すると、各ＯＬＥＤ発光板５の形状が各ランプカバー本体４１の形状に符合するため、各ランプカバー本体４１が均一に発光する。これにより、発光ラジエータカバー２全体の発光を均一にして目を刺激することがない。
【００１４】
ここで、本実施形態においては、各ランプカバーユニット４及び各ＯＬＥＤ発光板５の形状が真っ直ぐな長板状を呈するが、ＯＬＥＤ発光板５は、フレキシブル基板（図示せず）上に制作され、全面が均一に発光することができ、例えば、リング状、Ｓ字状などの特殊な形状に設計することができる。また、各ランプカバーユニット４の形状は、真っ直ぐな長板状のみに限定されず、リング状、Ｓ字状などに変更してもよい。即ち、特殊な形状の複数のＯＬＥＤ発光板５を特殊な形状に対応する複数のランプカバーユニット４中に装着し、各種形状の各ランプカバーユニット４を均一に発光させることができる。即ち、本考案の発光ラジエータカバー２の形状は、図面の態様のみに限定されない。
【００１５】
（第２実施形態）
図４及び図５に示すように、本考案の発光ラジエータカバー２の第２実施形態は、複数のランプカバーユニット４が中空フレーム３中に配列して装着される方式が第１実施形態と異なる。説明に便利なように、第１実施形態と異なる点のみ説明を行う。
【００１６】
本実施形態中、複数のランプカバーユニット４は、左右の横方向に延伸する形状であり、上下に間隔をあけて配列して中空フレーム３中に装着固定される。また、複数のランプカバーユニット４が中空フレーム３に組み合わされることにより、上下に間隔があいた複数の通風孔３０が画定される。
【００１７】
以上の説明から分かるように、各透光のランプカバーユニット４中に各ＯＬＥＤ発光板５が装着される設計により、複数のランプカバーユニット４を均一に発光させることができる。これにより、発光ラジエータカバー２全体が均一の輝度を呈し、光線が集中して目を刺激する問題が発生しない。また、製造する際、ランプカバーユニット４の外形に基づき、対応する形状のＯＬＥＤ発光板５を組み合わせることができるため、製造される各種形状の発光ラジエータカバー２を均一に発光することができる。即ち、本考案は、目的を確実に達成することができる。
【００１８】
以上の説明は、本考案の実施形態を示すものであり、本考案の実施範囲を限定するものではない。本考案の実用新案登録請求の範囲及び明細書の同等効果である変更及び修飾は、何れも本考案の範囲に含まれる。
【符号の説明】
【００１９】
２  発光ラジエータカバー
３  中空フレーム
３０  通風孔
４  ランプカバーユニット
４０  光行空間
４１  ランプカバー本体
４２  背面板
５  ＯＬＥＤ発光板
９００  車両
【図１】
0003200889.tif 000003
【図２】
0003200889.tif 000004
【図３】
0003200889.tif 000005
【図４】
0003200889.tif 000006
【図５】
0003200889.tif 000007
【手続補正書】
【提出日】平成27年9月7日(2015.9.7)
【手続補正１】
【補正対象書類名】実用新案登録請求の範囲
【補正対象項目名】全文
【補正方法】変更
【補正の内容】
【実用新案登録請求の範囲】
【請求項１】
中空フレーム、複数のランプカバーユニット及び複数のＯＬＥＤ発光板を備える発光ラジエータカバーであって、
前記複数のランプカバーユニットは、互いに間隔をあけて配列して前記中空フレーム内に装着される上、前記中空フレームに組み合わされることにより、前後に貫通し、間隔があいた複数の通風孔が画定され、前記各ランプカバーユニットは、後方に開口を有する上、透光で中空のランプカバー本体と、前記ランプカバー本体の開口に蓋をするように前記ランプカバー本体に装着される背面板と、を有し、前記ランプカバー本体が前記背面板に組み合わされることにより、光行空間が画定され、
前記各ＯＬＥＤ発光板は、前記各ランプカバーユニットの前記背面板に装着固定され、前記各光行空間中に位置し、前記各光行空間方向に発光することを特徴とする発光ラジエータカバー。
【請求項２】
前記複数のランプカバーユニットは、上下縦方向に延伸する形状であり、左右に間隔をあけて配列して前記中空フレームに装着されることを特徴とする請求項１に記載の発光ラジエータカバー。
【請求項３】
前記複数のランプカバーユニットは、左右横方向に延伸する形状であり、上下に間隔をあけて配列して前記中空フレームに装着されることを特徴とする請求項１に記載の発光ラジエータカバー。
【請求項４】
前記各ＯＬＥＤ発光板は、前記各ランプカバーユニットの長手方向に沿って延伸することを特徴とする請求項２又は３に記載の発光ラジエータカバー。